(57)【特許請求の範囲】
【請求項１】
供給リール台(５)から回転ヘッドシリンダー(２)及びキャプスタン(44)を経て巻取りリール台(31)に至る所定のテープ走行経路にテープ(10)を張設して、キャプスタン(44)とテープ巻取り側のリール台を回転駆動し、テープ(10)を走行させつつ、回転ヘッドシリンダー(２)によってテープ(10)に信号を記録するテープレコーダにおいて、
テープ(10)に記録すべき映像信号を蓄積するメモリ手段と、キャプスタン(44)及び両リール台(５)(31)の回転を制御して、各種動作モードの設定を行なうと共に、メモリ手段に対する映像信号の書込み及び読出しを制御する制御手段とを具え、
供給リール台(５)は、テープ巻取り方向に回転駆動されてテープを巻き取るベース部材(51)と、該ベース部材(51)に対して相対回転可能に係合すると共に回転に対して制動力を受けるドラム部材(53)と、ベース部材(51)とドラム部材(53)の間に介在する一方向クラッチ(50)とを具え、一方向クラッチ(50)は、ベース部材(51)がテープ巻取り方向に回転するときは解除状態となる一方、ベース部材(51)がその逆方向に回転するときは係合状態となるものであり、
前記制御手段は、巻取りリール台(31)をテープ巻取り方向に回転駆動して、テープ(10)を順方向に走行させながら、前記メモリ手段から読み出される圧縮された映像信号をテープ(10)に記録する第１制御動作と、順方向録画モードのままキャプスタン(44)及び供給リール台(５)をテープ巻取り方向に回転駆動して、テープ(10)を前記第１制御動作による記録動作の終了位置よりもテープ先頭側の位置まで巻き戻す第２制御動作と、巻取りリール台(31)をテープ巻取り方向に回転駆動して、テープ(10)を前記第１制御動作による記録動作の終了位置まで走行させ、続いて次の記録動作に移行する第３制御動作とを繰り返し実行することを特徴とするテープレコーダ。
【請求項２】
前記制御手段は、前記第２制御動作後、第３制御動作によって次の記録動作に移行するまでの期間に、テープ(10)から信号を再生して、再生信号の出力を測定し、該測定値が規格値以上であるか否かを判定する再生ヘッド出力測定／判定手段を具えている請求項１に記載のテープレコーダ。
【請求項３】
前記制御手段は、ユーザによって録画チェックが指示されたとき、前記第２制御動作後、第３制御動作によって次の記録動作に移行するまでの期間に、テープ(10)から映像信号を再生して、再生映像信号を外部モニターへ出力する録画チェック手段を具えている請求項１又は請求項２に記載のテープレコーダ。
【発明の詳細な説明】
【０００１】
【発明の属する技術分野】
本発明は、ＶＴＲの如きテープレコーダに関し、特に、監視用のビデオカメラ等に接続されて長時間の記録を行なうテープレコーダの構造及び制御に関するものである。
【０００２】
【従来の技術】
一般にＶＴＲにおいては、図５に示す如くシャーシ（１）上に、供給リール台（３）、巻取りリール台（３１）、回転ヘッドシリンダー（２）、キャプスタン（４４）、所定のテープ走行経路を形成するための複数のガイドピン（４２）等が配備されており、供給リール台（３）及び巻取りリール台（３１）にテープカセット（図示省略）を装着した状態で、一対の先導ガイドポスト（４）（４１）を案内溝（１１）（１２）に沿って前進させると共に、テンションピン（４３）をテープ引き出し方向に移動させることによって、テープカセットから磁気テープ（１０）が引き出されて、回転ヘッドシリンダー（２）の外周面に巻き付けられる。
【０００３】
又、供給リール台（３）には、図６に示す如く、磁気テープ（１０）に一定のテープテンションを与えるためのテープテンション機構（６０）が連繋している。該テープテンション機構（６０）は、供給リール台（３）の外周面に巻き付けられたブレーキベルト（６）と、該ブレーキベルト（６）の一端が連結されると共にテンションピン（４３）を突設したテンションレバー（６１）と、該テンションレバー（６１）を反時計方向に回転付勢するバネ（６２）とから構成される。
【０００４】
テンションピン（４３）が図示の如く磁気テープ（１０）を引き出した状態で、該磁気テープ（１０）はテンションピン（４３）によって適度なテンションが付与される。
【０００５】
尚、供給リール台（３）は、図３に示す如き断面形状を有する樹脂の一体成形品であって、前記テープテンション機構（６０）を構成するブレーキベルト（６）が巻き付けられた外周面（３ａ）と、テープ巻取り方向の回転力を入力するためギア部（３ｂ）とが形成されている。
【０００６】
ところで、監視用のビデオカメラに接続されて長時間の録画を行なうＶＴＲにおいては、キャプスタン（４４）及び巻取りリール台（３１）を間欠的に回転させて、磁気テープ（１０）の走行、停止を繰り返しながら、走行中の磁気テープ（１０）にビデオ信号を記録する間欠記録方式が採用されている。
【０００７】
図９は、この種ＶＴＲにおける間欠記録の制御手続きを表わしており、先ずステップＳ２１にて間欠記録動作を行ない、ステップＳ２２では、磁気テープが停止中であるか否かを判断して、イエスと判断されたとき、ステップＳ２６に移行して、停止位置のトラック、即ち最後の記録済みトラックについての信号再生処理を行ない、そのトラックから再生される出力の大きさ（再生ヘッド出力）を測定する。
【０００８】
次にステップＳ２７にて、再生ヘッド出力が規格値以上であるか否かを判断し、イエスと判断されたときはステップＳ２１に戻って、間欠記録動作を繰り返す。これに対し、ステップＳ２７にてノーと判断されたときは、回転ヘッドシリンダーに装備されている磁気ヘッドに目詰まりが発生したものと判断して、ステップＳ２８に移行し、目詰まり警告を出力する。
その後、記録動作の終了が指示されたか否かを判断し、ノーと判断されたときはステップＳ２１に戻って、間欠記録動作を繰り返し、イエスと判断されたときは手続きを終了する。
【０００９】
一方、ステップＳ２２にてノーと判断されたときはステップＳ２３に移行して、ユーザによる録画チェックの指示が有ったかどうかを判断し、ノーと判断されたときはステップＳ２１に戻って間欠記録動作を繰り返す。これに対し、ステップＳ２３にてイエスと判断されたときは、ステップＳ２４に移行して、記録動作を停止する。続いて、ステップＳ２５にて、テープを一定量だけ巻き戻し、そのテープ位置のトラックからビデオ信号を再生した後、ステップＳ２１に戻って間欠記録動作を繰り返す。
【００１０】
上記制御手続きによれば、例えば、連続する６フィールド分のビデオ信号の内、１フィールドのビデオ信号のみを磁気テープ（１０）に記録するべく間欠記録動作を行なうことによって、通常の６倍の記録時間を達成することが出来る。
又、信号記録動作の繰り返しによって、回転ヘッドシリンダーに装備された磁気ヘッドに目詰まりが発生して、再生ヘッド出力が規格値以下に低下したときは、その旨の警告が発せられるので、ユーザは、必要に応じてＶＴＲを停止させ、回転ヘッドシリンダーの保守を行なうことが出来る。
更に又、ユーザは、録画チェックの操作を行なうことによって、正常な録画が行なわれているかどうかを再生画面（静止画）によって確認することが出来る。
【００１１】
【発明が解決しようとする課題】
ところが従来の間欠記録方式のＶＴＲにおいては、磁気テープが停止状態から走行を開始するときに、テープ速度が所定速度に達するのにある程度の時間がかかるため、磁気テープの走行、停止の度に映像が乱れる問題があった。
又、ユーザが録画チェックの操作を行なうことによって、録画動作が中断されるので（図９のステップＳ２４）、テープの巻き戻し、再生（図９のステップＳ２５）を行なっている期間の映像が欠落する問題があった。
更に又、再生ヘッド出力の測定、判定（図９のステップＳ２６，Ｓ２７）は、間欠記録動作のテープ停止中に行なわれるので、例えば１２０分テープ（Ｔ１２０）に９６０時間の映像を記録する間欠動作の場合、テープ停止期間は８秒以下と短く、信頼性の高い測定、判定を行なうことが困難である問題があった。
【００１２】
そこで本発明の目的は、間欠記録動作によっても記録映像に乱れのない繋ぎ撮りが可能であり、又、録画チェックによっても録画動作が中断されることがなく、然も、再生ヘッド出力の測定及び判定に高い信頼性を得ることが出来るテープレコーダを提供することである。
【００１３】
【課題を解決する為の手段】
本発明に係るテープレコーダは、  テープ(10)に記録すべき映像信号を蓄積するメモリ手段と、キャプスタン(44)及び両リール台(５)(31)の回転を制御して、各種動作モードの設定を行なうと共に、メモリ手段に対する映像信号の書込み及び読出しを制御する制御手段とを具えている。
供給リール台(５)は、テープ巻取り方向に回転駆動されてテープを巻き取るベース部材(51)と、該ベース部材(51)に対して相対回転可能に係合すると共に回転に対して制動力を受けるドラム部材(53)と、ベース部材(51)とドラム部材(53)の間に介在する一方向クラッチ(50)とを具え、一方向クラッチ(50)は、ベース部材(51)がテープ巻取り方向に回転するときは解除状態となる一方、ベース部材(51)がその逆方向に回転するときは係合状態となるものである。
前記制御手段は、巻取りリール台(31)をテープ巻取り方向に回転駆動して、テープ(10)を順方向に走行させながら、前記メモリ手段から読み出される圧縮された映像信号をテープ(10)に記録する第１制御動作と、順方向録画モードのままキャプスタン(44)及び供給リール台(５)をテープ巻取り方向に回転駆動して、テープ(10)を前記第１制御動作による記録動作の終了位置よりもテープ先頭側の位置まで巻き戻す第２制御動作と、巻取りリール台(31)をテープ巻取り方向に回転駆動して、テープ(10)を前記第１制御動作による記録動作の終了位置まで走行させ、続いて次の記録動作に移行する第３制御動作とを繰り返し実行する。
【００１４】
上記本発明のテープレコーダにおいては、第１制御動作によってテープ（１０）に映像信号を記録した後、第２制御動作によってテープ（１０）を巻き戻し、その後、次の信号記録のために、第３制御動作によってテープ（１０）を前記記録動作の終了位置、即ち、次の記録開始位置までテープ（１０）を助走させることが出来るので、記録開始位置からは所定テープ速度で記録動作を開始することが可能である。この結果、記録映像信号に乱れのない繋ぎ撮りが実現される。
【００１５】
尚、テープに記録すべき映像信号は、一定量（１ブロック）毎に時間圧縮されてテープに記録されるので、１ブロックの映像信号の記録終了後、次の１ブロックの映像信号の記録開始までには、時間圧縮率に応じた余裕時間が生じることになる。
例えば、メモリ手段が映像信号１４４フィールド分の容量を有し、映像信号２４０フィールドの中から１フィールドを抽出して、メモリ手段に蓄積していく場合、磁気記録動作に１０秒間が必要であるとすると、余裕時間は、１４４×２４０／６０−１０＝５６６秒となる。
従って、この余裕時間内に、前記巻き戻しや助走等の処理を行なえばよい。
【００１６】
具体的構成において、前記制御手段は、前記第２制御動作後、第３制御動作によって次の記録動作に移行するまでの期間に、テープ(10)から信号を再生して、再生信号の出力を測定し、該測定値が規格値以上であるか否かを判定する再生ヘッド出力測定／判定手段を具えている。
尚、再生ヘッド出力の測定及び判定には、前記余裕時間の範囲内で、十分に長い時間をとることが出来る。従って、信頼性の高い測定及び判定が可能である。
【００１７】
又、具体的構成において、前記制御手段は、ユーザによって録画チェックが指示されたとき、前記第２制御動作後、第３制御動作によって次の記録動作に移行するまでの期間に、テープ(10)から映像信号を再生して、再生映像信号を外部モニターへ出力する録画チェック手段を具えている。
映像信号の再生及び表示の為の処理は、前記余裕時間の範囲内で行なうことが出来る。従って、録画チェックを行なっても、第１制御動作による映像記録が中断することはない。
【００１８】
【発明の効果】
本発明に係るテープレコーダによれば、間欠記録動作によっても記録映像に乱れのない繋ぎ撮りが可能であり、又、録画チェックによっても録画動作が中断されることがなく、然も、再生ヘッド出力の測定及び判定に高い信頼性を得ることが出来る。
【００１９】
【発明の実施の形態】
以下、本発明をＶＴＲに実施した形態につき、図面に沿って具体的に説明する。
図１に示す本発明のＶＴＲ（７）は、ＴＶカメラ（８）からの映像信号を磁気テープ（１０）に記録することが可能であると共に、磁気テープ（１０）から再生される映像信号をモニター（９）に供給し又はＴＶカメラ（８）からの映像信号を直接にモニター（９）に供給して、ＴＶカメラ（８）で撮影した映像を画面に映し出すことが可能である。
【００２０】
通常録画においては、ＴＶカメラ（８）からＶＴＲ（７）に入力された映像信号は、記録系ブロック（７１）、記録アンプ（７２）、及び切り替えスイッチ（７３）を経て、磁気ヘッド（７４）に供給され、磁気テープ（１０）に記録される。又、磁気ヘッド（７４）によって磁気テープ（１０）から再生された映像信号は、切り替えスイッチ（７３）、再生アンプ（７５）、再生系ブロック（７６）及び切り替えスイッチ（７９）を経てモニター（９）へ供給され、画面に映し出される。
又、ＴＶカメラ（８）からの映像信号は、切り替えスイッチ（７９）を経て、直接にモニター（９）へ供給して、画面に映し出すことも可能である。
尚、記録系ブロック（７１）及び再生系ブロック（７６）の動作は制御回路（７７）によって制御されている。
【００２１】
一方、長時間録画においては、記録系ブロック（７１）から得られるデジタルの映像データが時間圧縮されてメモリ（７８）に蓄積されつつ、該メモリ（７８）から映像データが読み出され、読み出された映像データは、更に記録系ブロック（７１）にてアナログの映像信号に変換された後、記録アンプ（７２）及び切り替えスイッチ（７３）を経て、磁気ヘッド（７４）に供給され、磁気テープ（１０）に記録される。
尚、映像データの時間圧縮は、例えば２４０フィールド分の映像データから１フィールド分の映像データを抽出して、メモリ（７８）に蓄積する処理によって行なうことが出来る。
【００２２】
又、本発明に係るＶＴＲ（７）は、図２及び図４に示す供給リール台（５）を装備している。該供給リール台（５）は、テープ巻取り方向の回転駆動力が入力されるギア部（５１ａ）を具えたベース部材（５１）と、ベース部材（５１）に対して相対回転不能に嵌合するキャップ部材（５２）と、両部材（５１）（５２）に対して相対回転自由に係合するドラム部材（５３）とを具えている。
ここで、ベース部材（５１）に形成された外周面（５４）がキャップ部材（５２）に形成された内周面（５６）に対して緊密に嵌合すると共に、キャップ部材（５２）に形成された突起（５７）（５７）がベース部材（５１）に形成された溝（５５）（５５）に係合して、ベース部材（５１）とキャップ部材（５２）が一体化されている。
【００２３】
そして、キャップ部材（５２）の外周面とドラム部材（５３）の内周面とが互いに対向し、ドラム部材（５３）の内周面には、楔状の平面形状を有する３つの係合溝（５８）が凹設されて、各楔状係合溝（５８）にローラ（５９）が滑動可能に収容されている。
斯くして、これら複数の楔状係合溝（５８）とローラ（５９）によって一方向クラッチ（５０）が構成される。該一方向クラッチ（５０）は、ベース部材（５１）及びキャップ部材（５２）に対して、ドラム部材（５３）が反時計方向に回転するときは、各ローラ（５９）が楔状係合溝（５８）の幅の狭い部分に噛み込んで、ドラム部材（５３）と一体にベース部材（５１）及びキャップ部材（５２）を回転させるクラッチ係合状態となり、ベース部材（５１）及びキャップ部材（５２）に対して、ドラム部材（５３）が時計方向に回転するときは、各ローラ（５９）が楔状係合溝（５８）の幅の広い部分に滑動可能に収容されて、ドラム部材（５３）とベース部材（５１）及びキャップ部材（５２）との間の相対回転を許容するクラッチ解除状態となる。
【００２４】
図７は、上記ＶＴＲの長時間録画モードにおける制御手続きを表わしている。先ずステップＳ１では、ＴＶカメラ（８）から得られる映像信号をデジタルデータとしてメモリに蓄積する動作を開始し、ステップＳ２では、メモリに対するデータの蓄積量が最大値（Ｍａｘ）となったか否かが判断される。ここでイエスと判断されるまでメモリ蓄積を続行する。
【００２５】
その後、ステップＳ２にてイエスと判断されると、ステップＳ３にて順方向録画モードを設定して、磁気テープ（１０）に対する映像信号の記録動作を開始し、その後、ステップＳ４にて、所定のデータ量を有する１ブロックの映像記録が終了したか否かを判断する。ここでノーと判断されたときはステップＳ３に戻って、記録動作を続行する。
その後、ステップＳ４にてイエスと判断されたときは、ステップＳ５に移行して、磁気テープを一定量だけ巻き戻した後、その位置のトラックから１フィールド分の映像信号を再生する。
【００２６】
続いてステップＳ６では、ユーザによって録画チェックが指示されたか否かを判断し、イエスと判断されたときは、ステップＳ７にて、前記再生映像信号をモニター（９）に供給して、映像を表示する。
その後、ステップＳ８では、そのトラックから再生される映像信号の出力（再生ヘッド出力）を測定し、ステップＳ９では、その測定値が規格値以上であるか否かを判断する。ここで、イエスと判断されたときは、ステップＳ２に戻って、記録動作を繰り返す。尚、２回目以降の記録動作においては、前回の記録終了位置まで信号記録を行なうことなくテープを送り、続いて前回の記録終了位置から信号記録を開始する。これに対し、ステップＳ９にてノーと判断されたときは、ステップＳ１０に移行して、目詰まりを警告するための信号を出力する。
そして、ステップＳ１１では、ユーザによって録画の停止が指示されたか否かを判断し、ノーと判断されたときはステップＳ２に戻って記録動作を繰り返し、イエスと判断されたときは手続きを終了する。
【００２７】
図８は、上記手続きの実行によって実現される磁気テープ上の磁気ヘッドのトレース位置の変化を表わしたものである。
磁気テープ（１０）が矢印方向に走行する場合において、ＶＴＲを順方向録画モードに設定して、メモリから読み出した１ブロック分の映像信号を、テープ位置Ｔ１からＴ２までのテープ区間に磁気記録する（第１動作）。
この場合、図２に示す供給リール台（５）は、一方向クラッチ（５０）が係合状態となることによって、ドラム部材（５３）がベース部材（５１）及びキャップ部材（５２）と一体に回転するので、該ドラム部材（５３）の外周面（５３ａ）に対してブレーキベルト（６）の制動力が作用して、磁気テープ（１０）に対して適度なテンションが付与されることになる。
【００２８】
その後、図８の如く磁気テープ（１０）をテープ位置Ｔ２から僅かに走行させた後、磁気テープ（１０）を巻き戻し、テープ位置Ｔ２よりもテープ位置Ｔ１寄りの位置にて、テープの走行を停止させる（第２動作）。
尚、磁気テープ（１０）の巻き戻しにおいては、逆方向再生モードや巻き戻しモードは設定せず、順方向録画モードのまま、キャプスタン（４４）及び供給リール台（３）をテープ巻取り方向に回転させて、磁気テープ（１０）を逆方向に走行させる。この場合、図２に示す供給リール台（５）は、ベース部材（５１）及びキャップ部材（５２）が反時計方向に回転駆動されるが、これによって一方向クラッチ（５０）の係合が解除されることとなって、ドラム部材（５３）の相対回転が自由となるので、該ドラム部材（５３）はブレーキベルト（６）による制動力を受けて停止した状態となる。従って、供給リール台（５）の回転駆動に、ブレーキベルト（６）による制動力が作用することはなく、必要最小限の動力で巻き戻しを行なうことが出来る。
【００２９】
図８の如く、磁気テープ（１０）の走行が停止した状態で一定時間だけ待機し、この期間内に停止位置のトラックから映像信号を再生して、ヘッド出力が規格値を超えているかどうかの判別を行なうと共に、ユーザの指示に応じて映像（静止画）の表示を行なう。
その後、テープの走行を開始して助走を行ない、テープ速度が所定値に達した後、テープ位置Ｔ２から次のブロック▲２▼についての磁気記録を開始する（第３動作）。
上述の第１動作〜第３動作を繰り返すによって、磁気テープ（１０）には、ブロック単位で時間圧縮された映像信号が連続的に記録されることになる。
【００３０】
上記ＶＴＲによれば、磁気テープ（１０）に対するブロック毎の磁気記録動作（繋ぎ撮り）において、磁気テープ（１０）の巻き戻しによって助走区間が設けられ、テープ速度が所定値に達した状態で記録動作を開始することが出来るので、ブロックの繋ぎ部で記録映像に乱れが生じる虞れはない。
又、メモリ（７８）を用いた間欠記録動作によって、磁気テープの停止期間内に、再生ヘッド出力に基づく目詰まりのチェックや再生画像（静止画）表示のための処理を行なうことが出来るので、記録動作を中断する必要はない。然も、再生ヘッド出力のチェックに十分に長い時間をとることが出来るので、チェック結果に高い信頼性を得ることが出来る。
【００３１】
更に又、図２及び図４に示す供給リール台（５）によれば、互いに嵌合するベース部材（５１）の外周面（５４）及びキャップ部材（５２）の内周面（５６）と同じ高さ位置に、キャップ部材（５２）の外周面とドラム部材（５３）の内周面を設けて、その対向部に一方向クラッチ（５０）を配備することが出来るので、従来の一体型の供給リール台（３）と殆ど同じ厚さの供給リール台（５）を構成することが出来る。
【００３２】
尚、本発明の各部構成は上記実施の形態に限らず、特許請求の範囲に記載の技術的範囲内で種々の変形が可能である。例えば、供給リール台（５）に装備される一方向クラッチ（５０）としては、図４に示す構造に限らず、周知の種々の一方向クラッチ構造を採用することが出来る。
又、上記実施例では、間欠記録動作中の再生映像の確認において、１フィールド分の映像信号から生成される静止画を表示することとしているが、複数フィールドの映像信号を再生して、動画を表示することも可能である。
【図面の簡単な説明】
【図１】本発明に係るＶＴＲの構成を示すブロック図である。
【図２】本発明に係るＶＴＲに装備されている供給リール台の断面図である。
【図３】従来のＶＴＲに装備されている供給リール台の断面図である。
【図４】図２に示す供給リール台の分解斜視図である。
【図５】ＶＴＲにおけるテープ走行経路を示す平面図である。
【図６】テープテンション機構の構成を表わす平面図である。
【図７】本発明に係るＶＴＲの長時間録画における制御動作を表わすフローチャートである。
【図８】本発明に係るＶＴＲにおいて、磁気テープに対する磁気ヘッドのトレース位置の変化を説明する図である。
【図９】従来のＶＴＲの長時間録画における制御動作を表わすフローチャートである。
【符号の説明】
（１０）  磁気テープ
（４４）  キャプスタン
（３１）  巻取りリール台
（５）  供給リール台
（５１）  ベース部材
（５２）  キャップ部材
（５３）  ドラム部材
（５０）  一方向クラッチ
（５８）  楔状係合溝
（５９）  ローラ
（６０）  テープテンション機構
（６）  ブレーキベルト
（７７）  制御回路
（７８）  メモリ
【図１】
0003609694.tif 000002
【図２】
0003609694.tif 000003
【図３】
0003609694.tif 000004
【図４】
0003609694.tif 000005
【図５】
0003609694.tif 000006
【図６】
0003609694.tif 000007
【図７】
0003609694.tif 000008
【図８】
0003609694.tif 000009
【図９】
0003609694.tif 000010